【事件の表示】
　特願２０１２−　５３４０５「パーソナルビデオレコーダ機能を備えた双方向番組ガイド・システム及び方法」拒絶査定不服審判事件〔平成２４年　６月　７日出願公開、特開２０１２−１１００６２〕について、次のとおり審決する。
【結　論】
　本件審判の請求は、成り立たない。
【理　由】
第１　手続の経緯・本願発明
１　手続の経緯
　本件出願は、２００２年（平成１４年）２月２１日（パリ条約による優先権主張外国庁受理２００１年２月２１日、米国、２００１年２月２７日、米国、２００１年４月１８日、米国、２００１年５月１４日、米国、２００１年６月７日、米国、２００１年６月２８日、米国）を国際出願日とする出願である特願２００２−５６８８３３号の一部を平成１７年２月１８日に新たな特許出願とした特願２００５−４２８６６号の一部を、更に平成２０年７月２３日に新たな特許出願とした特願２００８−１９０３１９号の一部を、更に平成２３年３月２５日に新たな特許出願した特願２０１１−６８２１９号の一部を、更に平成２４年３月９日に新たな特許出願としたものであって、平成２４年６月４日付けで手続補正がなされ、平成２５年８月１９日付けで拒絶理由の通知がなされ、これに対し、平成２５年１１月２１日付けで手続補正がなされたが、平成２５年１２月４日付け（発送日同年１２月６日）で拒絶査定がなされた。
　本件は、上記拒絶査定を不服として平成２６年３月２７日付けで請求された拒絶査定不服審判であって、平成２６年３月２７日付けで手続補正（明細書、特許請求の範囲又は図面について請求と同時にする補正）がなされた。
 　 
２　本願発明
　本願の請求項１に係る発明（以下「本願発明」という。）は、平成２４年６月４日付け手続補正、平成２５年１１月２１日付け手続補正、平成２６年３月２７日付け手続補正により補正された特許請求の範囲、明細書及び図面の記載からみて、その特許請求の範囲の請求項１に記載された事項によって特定されるものであり、次のとおりのものと認められる。
 　 
（Ａ）ビデオレコーダのためのストレージマネージャであって、
　　　前記ストレージマネージャは、
（Ｂ）録画のための１つ以上のショーのユーザ選択を受信するユーザ入力デバイスと、
（Ｃ）前記選択された１つ以上のショーを格納するストレージデバイスと、
（Ｄ）前記ストレージデバイスに格納されている複数のショーにそれぞれ関連する優先度に基づいて、前記複数のショーのそれぞれが消去されるときを決定するように構成されている制御回路と、
（Ｅ）ディスプレイ画面を提供するディスプレイと
　を備え、
（Ｆ）前記ディスプレイ画面は、
　複数の項目であって、前記複数の項目のそれぞれが前記複数のショーのうちの１つに対応する、複数の項目と、
　前記複数のショーのうちの１つが消去されるまでの時間の視覚的表示であって、前記視覚的表示は、前記複数の項目と同時に表示される、視覚的表示と
　を提示する、
（Ｇ）ストレージマネージャ。
　　
（（Ａ）〜（Ｇ）は、当審で付与した。以下各構成要件を「構成要件Ａ」等という。）
　　
第２　刊行物の記載事項及び刊行物発明
１　刊行物の記載事項
　原査定における拒絶の理由に引用された特開２０００−２９５５５４号公報（以下「刊行物１」という。）には、図面と共に次に掲げる事項が記載されている。
（下線は当審が付与した。）
　　
「　　【０００１】
　　【発明の属する技術分野】
　本発明は、番組を予約する番組予約装置、及び、番組を録画する番組録画装置であって、特に、電子番組表から番組を検索する技術、検索条件を生成する技術、及び、録画した番組の消去条件を管理する技術に関する。」
　　
「　　【０００９】
　そこで、本発明はかかる問題点に鑑みてなされたものであり、視聴予約や録画予約すべき複数の番組が同一時間帯に放送される場合には、ユーザの手を煩わすことなく自動的に何れかの番組を選択する番組予約装置、記憶容量に空きが無くても、ユーザの手を煩わすことなく自動的に既に録画した番組を消去する番組録画装置、及びこれらを実行するプログラムを記憶した記録媒体を提供することを目的とする。」
　　
「　　【０１１９】
　　（実施の形態７）
　本発明の実施の形態７は、
録画する番組にジャンル別の保存期間を付与し、録画した番組を保存期間終了後に自動的に消去する番組録画装置
　＜構成＞
　図３９は、本発明の実施の形態７における番組録画装置の構成を示す図である。
　　　【０１２０】
　この
番組録画装置は、チューナー１０１、復号部１０２、制御部１０３、記録部１０４、再生部１０５、画像合成部１０６、及び、モニター１０７で構成される。
　チューナー１０１は、番組そのもののデータ、及び、付加情報等が載せられた放送波を受信して復号部１０２に送る。
　　　【０１２１】
　復号部１０２は、制御部１０３の指示に基づき、チューナー１０１により受信された放送波から、番組そのもののデータ、及び、EPG（electronic program guide：電子番組表）データ等の付加情報を復号分離する。
　制御部１０３は、ユーザの操作にしたがって各部を制御する。
　記録部１０４は、番組そのもののデータ、番組情報、EPGデータ、及び、ユーザ情報等を記録する。
　　　【０１２２】
　ここで
ユーザ情報とは、
ユーザから直接入力され、また、場合によってはユーザからの入力後に、自動的に修正されたものである。
　図４０は、記録部１０４が記録するユーザ情報を概略的に示す図である。
　図４０に示す
ユーザ情報は、
ジャンル別に、録画する際の保存期間（ライフタイム）を「長期」、「短期」、「普通」に分類し、所定時間と相対関係にある保存期間係数で記述された「蓄積パターン」、及び、単位時間を示す「基本保存期間Ｄ」とからなる
保存期間内においては、対応する番組の保存を保証し、保存期間以降は、対応する番組を自動的に消去してもよいものとする
　　　【０１２３】
　再生部１０５は、番組を再生する。
　
画像合成部１０６は、制御部１０３で生成するGUI画面と番組再生画面を合成多重する。
　
モニター１０７は、画像合成部１０６からの出力を表示する。
　ここで、同一時刻に複数のチャンネルで放送中の番組を同時に録画するため、チューナー１０１は、複数のチャンネルを指示された場合にそれぞれの指示に対するチャンネルを受信する複数の個別チューナーで構成されており、復号部１０２も個別チューナーのそれぞれに対応した複数の個別復号部で構成されている。ここでは、それぞれ２つずつで構成されているものとする。
　　　【０１２４】
　図４１は、制御部１０３の詳細な構成を示す図である。
　図４１に示す
制御部１０３は、EPG管理部１０８、録画番組検索部１０９、番組録画／消去管理部１１０、保存期間決定部１１１、再生部制御部１１２、ユーザ情報管理部１１３、ユーザインターフェイス部１１４、及び、GUI制御部１１５を含む。
　　　【０１２５】
　EPG管理部１０８は、復号部１０２が新しいEPGデータを復号分離する毎に、復号分離されたEPGデータを、記録部１０４のEPGデータ記録領域に更新記録し、また、記録部１０４に記録されたEPGデータに関して、放送時刻、チャンネル、ジャンル、及び、出演者等別に番組を検索することができる検索処理機能をもち、録画番組検索部１０９、及び、ユーザインターフェイス部１１４からの検索問い合わせに対して、適合する番組リストを送り返す。
　　　【０１２６】
　録画番組検索部１０９は、ユーザ情報管理部１１３を介して、記録部１０４に記録されたユーザ情報を読み取り、また、記録部１０４の番組そのもののデータを記録する記録領域のうちの、自動録画に利用可能な記憶容量を、番組録画／消去管理部１１０に問い合わせる。そして、番組録画／消去管理部１１０から自動録画に利用可能な記憶容量を受け取り、この記憶容量に対して、１つ以上の検索パラメータから成る検索条件に基づいてEPG情報から検索した番組の全データ量が、適正量になるように当該検索条件を変更する。一旦、適正に変更された検索条件は、以後、番組録画／消去管理部１１０、又は、ユーザインターフェイス部１１４より指示があるまで変更されない。そして、番組録画／消去管理部１１０から録画候補番組を検索するように指示されると、適正に変更された検索条件に基づいてEPG情報から録画候補番組を検索させて、番組録画／消去管理部１１０に渡す。また適正に変更された検索条件をユーザに通知する。
　　　【０１２７】
　番組録画／消去管理部１１０は、録画の予約、録画の実行制御、及び、すでに録画された番組そのもののデータとその付加情報の消去を行う。ここで録画の予約は、ユーザがユーザインターフェイス部１１４を直接操作することで設定されるものと、自動的に設定されるものとがある。
　また、
番組録画／消去管理部１１０は、録画の予約を設定した時刻になると、チューナー１０１及び復号部１０２を起動させて番組のデータを受信し、保存期間決定部１１１に保存期間を決定させ、録画日から保存期間が経過した時点である蓄積期限を算出し、受信した番組のデータと算出した蓄積期限とを記録部１０４に記録させる。
　　　【０１２８】
　さらに、番組録画／消去管理部１１０は、録画できる残り容量が不足した場合等に、蓄積期限を過ぎた番組のデータを消去して録画できる残り容量を増やす。
　保存期間決定部１１１は、基本保存期間の値に保存期間係数の値を乗算して保存期間を決定する。
　再生部制御部１１２は、ユーザから指示された番組のデータを記録部１０４の番組記録領域から読み出し再生部１０５へ送ることによって、ユーザの指示した番組を再生させる。
　　　【０１２９】
　ユーザ情報管理部１１３は、ユーザ情報についての参照、変更処理を管理し、ユーザ情報が書き換えられる度に録画番組検索部１０９にユーザ情報の書き換えがあったことを通知する。
　ユーザインターフェイス部１１４は、ユーザからの操作を受付け、各部に指示を与え、また、GUI画面の内容をGUI制御処理１５に送って表示させる。例えば、
ユーザが所望の番組を録画予約する場合は、EPG管理部１０８にEPG表示を促し、またユーザがGUI画面上の番組を選択した場合には、選択された番組の予約録画処理を番組録画／消去管理部１１０に指示する。また、ユーザが番組再生を行う場合には、番組録画／消去管理部１１０へ記録部１０４に録画記録された番組の一覧データを問い合わせ、再生番組リストを生成してGUI制御部１１５を介して表示させる。
　　　【０１３０】
　さらに、ユーザインターフェイス部１１４は、ユーザ情報管理部１１３を介してユーザ情報の書き換えを行う。
　GUI制御部１１５は、GUI画面を制御する。
　図４２は、再生番組リストを表示するGUI画面を示す図である。
　図４２に示す
再生番組リストは、番組毎にタイトル 、チャンネル、放送日、蓄積期限を表示する。ここで蓄積期限とは、放送日から保存期間が経過した時点を指す。
　　
「　　【０１５３】
　以上のように、本実施の形態の番組録画装置によれば、ユーザの入力したユーザ情報に記述されたユーザの嗜好性、録画容量、及び、記録されている番組量に基づいて、検索条件を決定して自動録画することができる。さらに、録画する番組にはジャンル別の保存期間を付与する。また、保存期限をユーザに明示することができるので、ユーザは、どのような番組が録画され、いつまで保存されているかが明確にわかる。また、特にユーザが操作をしなくてもユーザの嗜好に合致した番組を録画し、録画した番組を保存期間終了後に自動的に消去する。よって、常に、新しい番組を記録していることになり、また、ユーザの指示により、個別に保存期間を変更することができる。また、ある特定の期間においてユーザの嗜好に合致する番組数が増加した場合には、基本保存期間を短縮することによって相対的に保存期間を短くして、録画できる番組数を増やすので、いつも録画している番組が録画されなかったり、特別番組などの突発的に発生した番組を録画し損ねることが少なくなる。
　　　【０１５４】
　なお、本実施の形態では、保存期間の設定を録画番組の検索後に行ったが、利用するまでであれば、いかなるタイミングで設定しても構わない。
　また、
蓄積期限の保持形式については、記録時刻と保存期間、あるいは、保存期間が切れる時刻等、いろいろな形式が考えられるが、蓄積期限が明確に示せれば、どの形式であってもよい
　　　【０１５５】
　また、本実施の形態では、ジャンル別に保存期間を設定するが、ジャンル以外のパラメータ別に保存期間を設定してもよい。例えば、好きなタレントが出演している番組の保存期間について特別に長く設定するようにしてもよいし、特定番組名を指定して保存期間を特別に設定してもよい。
　また、蓄積期限の表示については、蓄積期限が判別できるものであれば、どの様な表示であってもよい。例えば、蓄積期限があと１週間以上ある場合は、青、一週間以内なら黄色、蓄積期限が切れた場合は赤というように色分け表現してもよい。
　　　【０１５６】
　また、本実施の形態では、蓄積期限切れの番組をある蓄積量を保持しながら消去していったが、
蓄積期限切れと同時に消去するものであってもよい
　また、本実施の形態では、ユーザ情報の項目をユーザが直接入力したが、自動的に設定してもよい。例えば、ユーザの視聴履歴の累積度数に応じて、よく見る時間帯や、よく見るジャンル等について優先度をつけて設定することもできる。また、最初だけユーザに設定させておいて、その後ユーザの視聴履歴に基づいて修正することもできる。」
　　
２　刊行物１に記載された発明
　刊行物１の実施の形態７は、録画する番組にジャンル別の保存期間を付与し、録画した番組を保存期間終了後に自動的に消去する番組録画装置であり（段落【０１１９】）、蓄積期限切れと同時に消去するものであってもよい（段落【０１５６】）から、この『録画する番組にジャンル別の保存期間を付与し、録画した番組を保存期間終了と同時に自動的に消去する番組録画装置』を刊行物１に記載された発明として認定する。
　　
（１）当該番組録画装置は、チューナー１０１、復号部１０２、制御部１０３、記録部１０４、再生部１０５、画像合成部１０６、及び、モニター１０７で構成される（段落【０１２０】）。
　　
（２）制御装置１０３は、EPG管理部１０８、番組録画／消去管理部１１０、ユーザインターフェース部１１４を含み（段落【０１２４】）、「ユーザが所望の番組を録画予約する場合は、EPG管理部１０８にEPG表示を促し、またユーザがGUI画面上の番組を選択した場合には、選択された番組の予約録画処理を番組録画／消去管理部１１０に指示」（段落【０１２９】）し、「番組録画／消去管理部１１０は、録画の予約を設定した時刻になると、チューナー１０１及び復号部１０２を起動させて番組のデータを受信し、」「受信した番組のデータ」「を記録部１０４に記録させる」（段落【０１２７】）から、当該番組記録装置は、『録画のためにユーザが番組選択を受信するユーザインターフェース部』を備えている。また、当該番組記録装置は、『前記選択された番組を記録する記録部』を備えている。
　　
（３）「制御装置１０３は、」「番組録画／消去管理部１１０、保存期間決定部１１１」「を含み」（段落【０１２４】）、「番組録画／消去管理部１１０は、」「保存期間決定部１１１に保存期間を決定させ、録画日から保存期間が経過した時点である蓄積期限を算出」（段落【１２７】）するから、当該番組記録装置は『番組の保存期間を決定する制御装置』を備えている。
　ここで、『保存期間は、ジャンル別に「長期」、「短期」、「普通」に分類され』ている（段落【０１２２】）。
　　
（４）当該番組録画装置は、『GUI画面を提供するモニタ』（段落【０１２３】）を備えている。
　　
（５）「ユーザが番組再生を行う場合には、番組録画／消去管理部１１０へ記録部１０４に録画記録された番組の一覧データを問い合わせ、再生番組リストを生成してGUI制御部１１５を介して表示させる」（段落【０１２９】）から、GUI画面には、再生番組リストが提示され、再生番組リストは、「番組毎にタイトル 、チャンネル、放送日、蓄積期限を表示」するものであり、「ここで蓄積期限とは、放送日から保存期間が経過した時点を指す」（段落【０１３０】）ものである。
　したがって、『前記GUI画面は、番組毎にタイトル 、チャンネル、放送日、蓄積期限を提示するものであり、ここで蓄積期限とは、放送日から保存期間が経過した時点を指すもの』である。
  　
（６）以上より、刊行物１には、次の発明（以下「刊行物１発明」という。）が記載されていると認められる。
　　
「録画する番組にジャンル別の保存期間を付与し、録画した番組を保存期間終了と同時に自動的に消去する番組録画装置であって、
　前記番組録画装置は、
　録画のためにユーザが番組選択を受信するユーザインターフェース部と、
　前記選択された番組を記録する記録部と、
　番組の保存期間を決定する制御装置と、ここで保存期間は、ジャンル別に「長期」、「短期」、「普通」に分類され、
　GUI画面を提供するモニタと
　を備え、
　前記GUI画面は、番組毎にタイトル 、チャンネル、放送日、蓄積期限を提示するものであり、ここで蓄積期限とは、放送日から保存期間が経過した時点を指すものである、
　番組録画装置。」
　　
第３　対比
１　対比
　本願発明と刊行物１発明とを対比する。
　　
（１）構成要件Ａ、構成要件Ｇ
　刊行物１発明における「番組記録装置」は、本願発明における「ビデオレコーダ」に相当し、刊行物１発明における「番組記録装置」内には、「ストレージマネージャ」を備えているのは明らかである。
　　　
（２）構成要件Ｂ
　刊行物１発明における「番組」は、本願発明における「ショー」に相当するから、刊行物１発明における「録画のためにユーザが番組選択を受信するユーザインターフェース部」は、本願発明における「録画のための１つ以上のショーのユーザ選択を受信するユーザ入力デバイス」に相当する。
　　
（３）構成要件Ｃ
　刊行物１発明における「前記選択された番組を記録する記録部」は、本願発明における「前記選択された１つ以上のショーを格納するストレージデバイス」に相当する。
　　
（４）構成要件Ｄ
　刊行物１発明は「録画する番組にジャンル別の保存期間を付与し、録画した番組を保存期間終了と同時に自動的に消去する番組録画装置」であり、刊行物１発明における「番組の保存期間を決定する」は、「番組が消去されるときを決定する」といえる。
　そして、刊行物１発明においては、保存期間はジャンル別に「長期」、「短期」、「普通」に分類されており、ジャンルにより保存期間の長さが異なるのであるから、ジャンル別に優先度があるといえる。ジャンルは番組に付随するものであるから、番組に関連したデータであり、保存期間は番組に関連する優先度に基づいて決定されるといえる。
　さらに、ストレージデバイスに相当する「記録部」には、複数の番組が記録されるものと認められ、保存期間は番組毎に決定されるものである。
　したがって、本願発明と刊行物１発明とは、「前記ストレージデバイスに格納されている複数のショーにそれぞれ関連する優先度に基づいて、前記複数のショーのそれぞれが消去されるときを決定するように構成されている制御回路」を備える点で一致する。
　　
（５）構成要件Ｅ、構成要件Ｆ
　「GUI画面」は表示されるから、「ディスプレイ画面」といえ、「モニタ」は「ディスプレイ」といえる。
　そして、GUI画面に提示された、番組毎の「タイトル 、チャンネル、放送日」は、本願発明における「複数の項目」に相当し、「番組」は「ショー」に相当するから、「前記複数の項目のそれぞれが前記複数のショーのうちの１つに対応する、複数の項目」に相当する。
　また、GUI画面に提示された「蓄積期限」は、「タイトル 、チャンネル、放送日」と同時に表示され、「前記複数のショーのうちの１つが消去される
期限
　したがって、本願発明と刊行物１発明とは、
「ディスプレイ画面を提供するディスプレイ」を備え、
「前記ディスプレイ画面は、
　複数の項目であって、前記複数の項目のそれぞれが前記複数のショーのうちの１つに対応する、複数の項目と、
　前記複数のショーのうちの１つが消去される
期限
　を提示する」ことで共通する。
　しかしながら、「消去されるまでの
期限
　　
２　一致点、相違点
　以上より、本願発明と引用発明との一致点、相違点は、次のとおりである。
　　
（一致点）
　ビデオレコーダのためのストレージマネージャであって、
　前記ストレージマネージャは、
　録画のための１つ以上のショーのユーザ選択を受信するユーザ入力デバイスと、
　前記選択された１つ以上のショーを格納するストレージデバイスと、
　前記ストレージデバイスに格納されている複数のショーにそれぞれ関連する優先度に基づいて、前記複数のショーのそれぞれが消去されるときを決定するように構成されている制御回路と、
　ディスプレイ画面を提供するディスプレイと
　を備え、
　前記ディスプレイ画面は、
　複数の項目であって、前記複数の項目のそれぞれが前記複数のショーのうちの１つに対応する、複数の項目と、
　前記複数のショーのうちの１つが消去されるまでの
期限
　を提示する、ストレージマネージャ。
　　
（相違点）
　「消去されるまでの
期限
　　
第４　判断
　期限は、「いつまでに」や「所定の期間で」とするものであって、例えば、ｔｏｄｏリストのように目標管理をする際にも「いつまでに」行う、または、「所定の期間で」行うとするものである。
　また、刊行物１には、「蓄積期限の保持形式については、記録時刻と保存期間、あるいは、保存期間が切れる時刻等、いろいろな形式が考えられるが、蓄積期限が明確に示せれば、どのような形式であってもよい。」（段落【０１５４】）と記載されており、期限として「時間」も想定されている。
　そうすると、刊行物１発明において、期限として「所定の期間で」を採用して、「消去されるまでの時間」とすることは、当業者が容易に想到し得ることである。
　　
　そして、本願発明が奏する効果は、その容易想到である構成から当業者が容易に予測し得る範囲内のものであり、同範囲を超える顕著なものでもない。
　　
第５　むすび
　以上のとおり、本願の請求項１に係る発明は、刊行物１に記載された発明に基づいて当業者が容易に発明をすることができたものであるから、特許法２９条２項の規定により特許を受けることができない。 
　　
　したがって、本願は、他の請求項について検討するまでもなく、拒絶すべきものである。　　
　よって、結論のとおり審決する。